(57)【要約】【課題】  携帯通信端末から、アドレス情報の入力操作を行うことなく容易に特定のネットワーク上の機器にアクセスするとともに、前記２次元バーコードに含まれる情報を有効活用する。【解決手段】  商品１０に添付されたラベル１２には、２次元バーコード１４が印刷されており、該２次元バーコード１４には、商品１０の販売元２０のＷｅｂサーバ２４がインターネット２６上で公開するキャンペーン応募用ＷｅｂページのＵＲＬ１６Ａが含まれている。端末３２は、カメラ機能を備えており、読込プログラム５２Ａにより前記２次元バーコード１４が読み込まれる。読み込まれた画像データは解析プログラム５２Ｂで解析され、その結果にＵＲＬ１６Ａが含まれる場合には、接続プログラム５２Ｄの実行により、前記ＵＲＬ１６Ａに基づいて対応するＷｅｂサーバ２４へアクセスし、Ｗｅｂページのデータを取得する。【選択図】図１
2005057501.tif 000002
【特許請求の範囲】
【請求項１】
撮影部を備えた携帯通信端末であって、
前記撮影部によって撮影対象を撮影し、その結果をメモリに読み込む読込手段，
前記撮影対象が２次元バーコードであるときに、前記メモリに読み込まれた２次元バーコードの画像データを解析する解析手段，
該解析手段による解析結果を前記メモリのデータ格納領域に保存する登録手段，
前記解析手段による解析結果に、ネットワーク上の固有のアドレス情報が含まれているか否かを判断し、含まれている場合には、該アドレス情報に基づいてネットワーク上の機器にアクセスする接続手段，
を備えたことを特徴とする携帯通信端末。
【請求項２】
前記登録手段は、前記解析結果に含まれる情報の自動保存を促す自動登録指示情報が前記解析結果に含まれているときに、前記解析結果に含まれる情報を、前記データ格納領域に自動的に登録することを特徴とする請求項１記載の携帯通信端末。
【請求項３】
前記解析結果に、前記携帯通信端末に割り当てられた固有情報を取得する取得指示情報が含まれているときに、前記メモリのデータ格納領域から該当する固有情報を取得する固有情報取得手段，
を備えるとともに、
前記接続手段は、前記ネットワーク上の機器にアクセスして、前記取得した固有情報を転送することを特徴とする請求項１又は２記載の携帯通信端末。
【請求項４】
前記接続手段によるアクセスによってホームページデータを取得したときに、当該ホームページを表示する閲覧手段，
を備えたことを特徴とする請求項１〜３のいずれかに記載の携帯通信端末。
【請求項５】
前記ホームページが、前記固有情報を反映した内容であることを特徴とする請求項４記載の携帯通信端末。
【請求項６】
前記固有情報に前記携帯通信端末の電子メールアドレスが含まれているときに、該電子メールアドレス宛に送信された電子メールを表示するメール閲覧手段，
を備えたことを特徴とする請求項３〜５のいずれかに記載の携帯通信端末。
【請求項７】
前記接続手段は、前記アドレス情報に対応するネットワーク上の機器に自動的にアクセスすることを特徴とする請求項１〜６のいずれかに記載の携帯通信端末。
【請求項８】
前記接続手段は、前記アドレス情報に対応するネットワーク上の機器への自動接続を促す自動接続指示情報が前記解析結果に含まれているときに、前記アドレス情報に対応するネットワーク上の機器に自動的にアクセスすることを特徴とする請求項１〜６のいずれかに記載の携帯通信端末。
【請求項９】
前記解析手段による解析結果を表示部に表示するための表示手段，を備えたことを特徴とする請求項１〜６のいずれかに記載の携帯通信端末。
【請求項１０】
前記表示手段は、前記アドレス情報に対応するネットワーク上の機器にアクセスするか否かを選択するための表示を、前記アドレス情報とともに前記表示部に表示し、
前記接続手段は、入力部によってアクセスする旨の選択が行われたときに、前記アドレス情報に基づいて対応するネットワーク上の機器にアクセスすることを特徴とする請求項９記載の携帯通信端末。
【請求項１１】
携帯通信端末からネットワークを介して、ネットワーク上の機器にアクセスするシステムであって、
前記携帯通信端末が、請求項１〜１０のいずれかに記載の携帯通信端末であり、
前記２次元バーコードを利用して、前記ネットワーク上の機器にアクセスすることを特徴とする通信システム。
【発明の詳細な説明】
【技術分野】
【０００１】
本発明は、携帯通信端末（携帯電話やＰＨＳなど）及びそれを利用した通信システムに関し、更に具体的には、２次元バーコードの情報を利用する携帯通信端末及びそれを利用した通信システムに関するものである。
【背景技術】
【０００２】
近年、携帯電話やＰＨＳなどを含む携帯通信端末は、デジタルカメラ機能付きのものが多数普及している。一般に、このようなカメラで取り込まれた画像情報は、デジタル情報に変換されて端末に表示，保存したり、インターネットに代表されるネットワークを介して他の通信端末へ伝送したりすることが可能となっている。しかしながら、従来の携帯通信端末では、画像表示部（ＬＣＤなど）に表示される画像に含まれるバーコードや文字，あるいは電話番号などの文字情報や記号情報を認識することができなかった。このため、新聞や雑誌，広告，パッケージ等の印刷媒体に、より多くの情報を提供したりアンケートやキャンペーンなどの応募を行ったりするためのＷｅｂページのアドレス情報（ＵＲＬ）や、問い合わせ先のメールアドレス・電話番号などが記載されている場合、端末のユーザはキー入力によりアクセス先の情報入力を行わなければならなかった。
【０００３】
そこで、上述したようなカメラ機能付きの端末によって、印刷媒体に含まれる情報を活用する手法が提案されている。例えば、特許文献１には、デジタルカメラの付いた携帯電話・ＰＨＳ等の携帯情報端末によってポスシステム用端末を代替するとともに、一般の消費者でもバーコードを用いて商品の特定を容易にし、更に、携帯情報端末で画像を取り込んで運営用サーバでテキストデータ等の文字情報に置換することにより、キーボードに頼っていた文字情報入力をデジタルカメラで代替する手法及びシステムが開示されている。また、特許文献２には、広告に併記されたバーコードを携帯電話のカメラで撮像し、撮像した画像データを解析管理サーバへ送信して、該解析管理サーバから送信された広告主のＵＲＬを端末に登録した上で、前記広告主のＷｅｂサイトにアクセスするシステムが開示されている。更に、特許文献３には、バーコード化された２次元情報を読み取り、ＬＣＤ表示部にテキスト文字情報として表示するか、あるいは音声情報として内蔵のスピーカより音声出力することを目的とした携帯電話機が開示されている。上述した技術によれば、いずれもＵＲＬなどの長い文字列などをキー操作で入力する手間が省け、入力ミスを防ぐことも可能となっている。
【特許文献１】特開２００２−１３５４５１
【特許文献２】特開２００２−３１２２７０
【特許文献３】特開２００１−２９２２０４
【発明の開示】
【発明が解決しようとする課題】
【０００４】
しかしながら、以上のような背景技術には次のような不都合がある。まず、上述した特許文献１及び２では、端末で取り込んだ画像データを、運営用サーバや解析管理サーバに転送し、これらサーバから送信されたＵＲＬに基づいてＷｅｂサイトにアクセスするため、サーバが不可欠となりシステムが複雑化するとともに余分な通信費用もかかる。また、特許文献３では、テキスト文字情報がＬＣＤ表示部に表示されるかスピーカから音声出力されるのみであり、表示された情報の活用手法が示されていない。
【０００５】
本発明は、以上の点に着目したもので、２次元バーコードを利用して、携帯電話などの携帯通信端末から、アドレス情報の入力操作を行うことなく容易に特定のネットワーク上の機器にアクセスしてホームページデータなどを取得するとともに、前記２次元バーコードに含まれる情報を有効活用することができる携帯通信端末及びそれを利用した通信システムを提供することを、その目的とするものである。
【課題を解決するための手段】
【０００６】
前記目的を達成するため、本発明は、撮影部を備えた携帯通信端末であって、前記撮影部によって撮影対象を撮影し、その結果をメモリに読み込む読込手段，前記撮影対象が２次元バーコードであるときに、前記メモリに読み込まれた２次元バーコードの画像データを解析する解析手段，該解析手段による解析結果を前記メモリのデータ格納領域に保存する登録手段，前記解析手段による解析結果に、ネットワーク上の固有のアドレス情報が含まれているか否かを判断し、含まれている場合には、該アドレス情報に基づいてネットワーク上の機器にアクセスする接続手段，を備えたことを特徴とする。主要な形態の一つは、前記登録手段は、前記解析結果に含まれる情報の自動保存を促す自動登録指示情報が前記解析結果に含まれているときに、前記解析結果に含まれる情報を、前記データ格納領域に自動的に登録することを特徴とする。
【０００７】
他の形態は、前記解析結果に、前記携帯通信端末に割り当てられた固有情報を取得する取得指示情報が含まれているときに、前記メモリのデータ格納領域から該当する固有情報を取得する固有情報取得手段，を備えるとともに、前記接続手段は、前記ネットワーク上の機器にアクセスして、前記取得した固有情報を転送することを特徴とする。
【０００８】
更に他の形態は、前記接続手段によるアクセスによってホームページデータを取得したときに、当該ホームページを表示する閲覧手段，を備えたことを特徴とする。更に他の形態は、前記ホームページが、前記固有情報を反映した内容であることを特徴とする。更に他の形態は、前記固有情報に前記携帯通信端末の電子メールアドレスが含まれているときに、該電子メールアドレス宛に送信された電子メールを表示するメール閲覧手段，を備えたことを特徴とする。
【０００９】
更に他の形態は、(1)前記接続手段は、前記アドレス情報に対応するネットワーク上の機器に自動的にアクセスする，(2)前記接続手段は、前記アドレス情報に対応するネットワーク上の機器への自動接続を促す自動接続指示情報が前記解析結果に含まれているときに、前記アドレス情報に対応するネットワーク上の機器に自動的にアクセスする，(3)前記解析手段による解析結果を表示部に表示するための表示手段，を備える，(4)前記表示手段は、前記アドレス情報に対応するネットワーク上の機器にアクセスするか否かを選択するための表示を、前記アドレス情報とともに前記表示部に表示し、前記接続手段は、入力部によってアクセスする旨の選択が行われたときに、前記アドレス情報に基づいて対応するネットワーク上の機器にアクセスする，ことを特徴とする。
【００１０】
本発明の通信システムは、携帯通信端末からネットワークを介して、ネットワーク上の機器にアクセスするシステムであって、前記携帯通信端末が、上述した携帯通信端末のうちのいずれかであり、２次元バーコードを利用して、前記ネットワーク上の機器にアクセスすることを特徴とする。本発明の前記及び他の目的，特徴，利点は、以下の詳細な説明及び添付図面から明瞭になろう。
【発明の効果】
【００１１】
本発明は、携帯通信端末に搭載されたカメラ機能を利用して、２次元バーコードを読み込み、その解析結果にネットワーク上の固有のアドレス情報が含まれる場合には、該アドレス情報に基づいてネットワーク上の機器にアクセスし、このアクセスによって取得したホームページデータに基づいて該ホームページを表示することとしたので、キー入力の手間をかけずに簡単に特定のホームページへのアクセスが可能となる。また、前記解析結果に含まれる情報を前記端末に登録することにより、２次元バーコードに含まれる情報を有効活用することができるという効果が得られる。更に、前記端末に割り当てられた電子メールアドレスや電話番号などの固有情報を前記機器に転送することとしたので、前記固有情報をキー入力する手間が軽減する。
【発明を実施するための最良の形態】
【００１２】
以下、本発明を実施するための最良の形態を、いくつかの実施例に基づいて詳細に説明する。
【実施例１】
【００１３】
最初に、図１〜図３を参照しながら本発明の実施例１を説明する。図１は、本発明のシステム構成の一例を示すブロック図であり、図２は、本発明の実施例１の主要動作を示すフローチャート，図３は、本実施例の端末の表示部の表示画面例である。本実施例の通信システムは、インターネットを介して、広告や商品のパッケージなどの印刷媒体に印刷された２次元バーコードに含まれるアドレス情報を利用して、携帯通信端末から前記アドレス情報に対応するＷｅｂサーバへアクセスし、該Ｗｅｂサーバからホームページデータを取得して、該ホームページを閲覧するものである。なお、インターネットのＷｅｂページのアドレス情報は、一般にＵＲＬ（Uniform Resource Locator）と呼ばれているものである。
【００１４】
まず、図１を参照して、本実施例のシステム構成について説明する。同図に示すように、本実施例のシステムは、商品１０のパッケージに添付されたラベル１２に印刷された２次元バーコード１４を読み取る機能を備えた携帯端末３２，前記商品１０の販売元２０が保有しており、前記２次元バーコード１４に情報として含まれるＵＲＬ（アドレス情報）に対応するＷｅｂページをインターネット２６上で公開するＷｅｂサーバ２４と電子メールの送受信などを行うメールサーバ２５により構成されている。前記Ｗｅｂサーバ２４及びメールサーバ２５，携帯端末３２は、それぞれ通信部２４，５８を介して、図示しないプロバイダや通信網によりインターネット２６に接続可能となっている。なお、前記商品１０，販売元２０やそのＷｅｂサーバ２４，メールサーバ２５，携帯端末３２は、通常多数存在している。また、販売元２０には、公知のファイアウオールサーバ，ＤＮＳサーバなどが設けられている（図示せず）。
【００１５】
前記商品１０は、食品や玩具，書籍などの任意のものであって、２次元バーコード１４が印刷されたラベル１２は、その包装紙やパッケージなどに添付されているが、包装紙などに直接印刷するようにしてもよい。前記２次元バーコード１４には、販売元２０のＷｅｂサーバ２４が公開する特定のＷｅｂページ（例えば、キャンペーン応募ページやユーザ登録ページなど）のＵＲＬ１６Ａのほか、前記販売元２０の連絡先のメールアドレス１６Ｂ，電話番号１６Ｃなどの他の情報も含まれている。また、必要に応じて、前記２次元バーコード１４が携帯端末３２で読み取られた際に、(1)該２次元バーコード１４に含まれる情報を自動的に前記端末３２に保存（ないし登録）するように促す自動登録指示情報１７，(2)自動的に前記Ｗｅｂサーバ２４へ接続して前記ＵＲＬ１６Ａで示されるＷｅｂページを閲覧するように促す自動接続指示情報１８，(3)前記端末３２に割り当てられた固有の情報（電話番号や電子メールアドレスなど）を前記端末３２のデータ格納部４６から抽出するよう促す固有データ取得指示情報１９などが含まれている。
【００１６】
このような２次元バーコード１４は、１次元バーコードと比較して小さいスペースで印刷が行えるとともに、日本語を含む多くの情報を入れられるものであり、１次元バーコードを複数段積み重ねた構造のスタック式と、情報を白黒のセルで縦横のモザイク状に表現したマトリックス式があるが、本実施例では、マトリックス式の２次元バーコードを用いている。なお、マトリックス式の２次元バーコードには、データマトリックスコード，マキシコード，ＱＲコードなどがあるが、それのいずれを用いてもよい。また、２次元バーコード１４に含まれる情報は、上述したＵＲＬ１６Ａ，メールアドレス１６Ｂ，電話番号１６Ｃのほか、必要に応じて他の任意の情報が適用可能である。
【００１７】
次に、商品１０の購入者が保有する端末３２は、携帯電話，ＰＨＳなどであって、通話機能のほか、インターネット２６への接続機能，カメラ機能，電子メールの送受信機能を備えている。具体的には、端末３２は、ＬＣＤなどの表示部３４，電話番号の数字や通話相手の氏名などの文字を入力するための複数の入力キー３６，メニュー選択や検索などを行う複数のメニューボタン３８，カメラレンズ４０，シャッターボタン４２を備えている。例えば、前記メニューボタン３８の操作により、カメラ機能を選択し、外側に設けられたカメラレンズ４０を撮影対象へ向けて、表示部３４で撮影範囲を確認したのちシャッターボタン４２を押して撮影を行う。本実施例では、撮影対象が２次元バーコードであるため、これを解析することができるＣＣＤ（電荷結合素子）等の固体撮像素子でカメラが構成されている。なお、表示部３４は、通常はメニュー，アドレス帳，メール内容，画像，Ｗｅｂページなどを表示するものであるが、上述したようにカメラ機能を選択した状態では、撮影範囲を確認するためのファインダーの機能も備えている。
【００１８】
このほかに、端末３２は、携帯電話全体の動作制御や情報処理を行うＣＰＵ４４，インターネット２６への接続を行うための通信部５８，各種データが格納されたデータ格納部４６，各種プログラムが格納されたプログラム格納部５０を備えている。なお、前記データ格納部４６及びプログラム格納部５０は、単一のメモリ内に別々の領域として区分けされている形態であってもよい。前記表示部３４，入力キー３６，メニューボタン３８，カメラレンズ４０などは、図示しないインターフェースを介して、前記ＣＰＵ４４に接続されている。
【００１９】
前記データ格納部４６は、前記カメラレンズ４０により取り込まれた画像データなどの一時保存領域４６Ａと登録データ領域４６Ｂを含んでいる。該登録データ領域４６Ｂには、端末３２のメールアドレス４８Ａや電話番号４８Ｂなど、端末３２に割り当てられた固有のデータが登録された端末固有データ４８と、アドレス帳データ４９Ａやメモ帳データ４９Ｂ，メールデータ４９Ｃ，画像データ４９Ｄなどを含んでいる。また、Ｗｅｂページのブックマークデータ領域なども設けられている。なお、前記端末固有データ４８は、アドレス帳データ４９Ａなどの他のデータに含まれるような形態であってもよい。
【００２０】
前記プログラム格納部５０には、読込プログラム５２Ａ，解析プログラム５２Ｂ，表示プログラム５２Ｃ，接続プログラム５２Ｄ，登録プログラム５２Ｅ，固有データ抽出プログラム５２Ｆのほか、インターネット２６に接続して任意のＷｅｂページを閲覧する機能を有するＷｅｂブラウザ５４，メールの送受信を行うメーラー５６が含まれている。まず、前記読込プログラム５２Ａは、端末３２のカメラ機能により所望の撮影対象の画像データをデータ格納部４６の一時保存領域に取り込むためのもので、メニュー選択ボタン３８により撮影モードが選択され、カメラレンズ４０によって撮影対象を表示部３４（ファインダー）に捉えてシャッターボタン４２を押すことにより、撮影画像のデータをデータ格納部４６の一時保存領域４６Ａに保存する。
【００２１】
解析プログラム５２Ｂは、前記読込プログラム５２Ａによって一時保存領域４６Ａに保存された画像データの撮影対象が２次元バーコード１４であるときに、該画像データを解析してこれに含まれるＵＲＬ１６Ａ，メールアドレス１６Ｂ，電話番号１６Ｃ，自動登録指示情報１７，自動接続指示情報１８，固有データ取得指示情報１９などを認識するものである。表示プログラム５２Ｃは、前記解析プログラム５２Ｂによる解析結果を必要に応じて表示部３４に表示したり、Ｗｅｂサーバ２４が公開するＷｅｂページの閲覧を行うか否かを選択するための選択画面などを表示したりする機能を有している。
【００２２】
接続プログラム５２Ｄは、前記解析プログラム５２Ｂによる解析結果に、インターネット２６上の特定のＷｅｂページの所在地を表すアドレス情報，すなわち、ＵＲＬ１６Ａが存在するときに、該ＵＲＬ１６Ａに基づいてＷｅｂサーバ２４へ接続し、閲覧希望のＷｅｂページのＨＴＭＬファイルなどの転送要求を行うものである。該接続プログラム５２ＤによるＷｅｂサーバ２４へのアクセス及びＷｅｂページの閲覧要求は、２次元バーコード１４にＵＲＬ１６Ａが含まれる時は自動的に行うようにしてもよいし、前記表示プログラム５２Ｃによって表示部３４にアクセスを行うか否かを選択するための画面を表示し、該画面でアクセスすることが選択された場合にのみＷｅｂサーバ２４へアクセスするようにしてもよい。また、２次元バーコード１４に、ＵＲＬ１６Ａと自動接続指示情報１８がともに含まれていると解析された場合にのみ、該当するＷｅｂサーバ２４へアクセスしてＷｅｂページの閲覧を要求するようにしてもよい。また、これらの接続形態を選択メニューで切り替える機能を含むようにしてもよい。なお、２次元バーコード１４に固有データ取得指示情報１９が含まれるときの接続プログラム５２Ｄの動作については、実施例３で詳述することとする。
【００２３】
最後に、登録プログラム５２Ｅは、前記解析プログラム５２Ｂによる解析結果を必要に応じてデータ格納部４６に登録するもので、解析結果にＵＲＬ１６Ａ，メールアドレス１６Ｂ，電話番号１６Ｃなどのいずれかが含まれるときには、これを例えば、登録データ領域４６Ｂ内のアドレス帳データ４９Ａとして登録する。また、前記情報以外のテキストデータなどが含まれる場合にも、必要に応じて登録データ領域４６Ｂのメモ帳データ４９Ｂなどに格納するようにしてもよい。固有データ抽出プログラム５２Ｆについては、以下の実施例３で詳述する。以上のような各種プログラム５２Ａ〜５２Ｆは、それぞれ別に設けるようにしてもよいし、一つのプログラムが複数のプログラムの機能を備えるようにしてもよい。
【００２４】
次に、図２及び図３も参照して、本実施例の主要動作を説明する。なお、本例では、端末３２の保有者３０が購入した商品１０のパッケージに、２次元バーコード１４が印刷されたラベル１２が添付されている。また、前記２次元バーコード１４にＵＲＬ１６Ａが含まれている際に端末３２でこの画像を取り込むと、販売元２０のＷｅｂサーバ２４が公開するキャンペーン応募用のＷｅｂページへ自動的に接続することとなっている。
【００２５】
まず、保有者３０は、購入した商品１０に添付されたラベル１２の２次元バーコード１４と、それに関する説明を読み、販売元２０のキャンペーン応募ページへアクセスしようとする。この場合、まず、端末３２のメニューボタン３８の操作によりカメラ機能によるバーコード撮影モードを選択し、読込プログラム５２Ａを起動する。そして、図３（Ａ）に示すように、表示部３４に２次元バーコード１４の全体が写るようにカメラレンズ４０で２次元バーコード１４を捉え、シャッターボタン４２を押して２次元バーコード１４を撮影する（図２のステップＳ１０）と、前記読込プログラム５２Ａにより、撮影された２次元バーコード１４の画像データが、データ格納部４６の一時保存領域４６Ａに読み込まれる（ステップＳ１２）。
【００２６】
読み込まれた画像データに２次元バーコード１４が含まれると判断された場合には、解析プログラム５２Ｂが実行され、２次元バーコード１４の画像データの解析が行われる（ステップＳ１４）。なお、データの解析に先立って、バーコードシンボルの切り出し，ノイズの除去，ゆがみの修正などの正規化，二値化などが行われる。その後、シンボル上に配置されたマス目（セル）を元のコードに組み立て直し、コードの誤りの検出と誤り補正（復元）処理が行われる。その後に、圧縮の解凍，解読が行われ、２次元バーコード１４に含まれるＵＲＬ１６Ａや他の情報が読み取られる。
【００２７】
接続プログラム５２Ｄは、前記解析プログラム５２Ｂによる解析結果に特定のＷｅｂページのＵＲＬ１６Ａが含まれると判断した場合には（ステップＳ１６のＹｅｓ）、前記ＵＲＬ１６Ａに対応するＷｅｂページへアクセスする。具体的には、ＵＲＬ１６Ａに基づいて、販売元２０のＷｅｂサーバ２４にアクセスする（ステップＳ１８）とともに、該Ｗｅｂサーバ２４にキャンペーン応募ページのＨＴＭＬファイルなどの転送要求を行う。閲覧要求を受けたＷｅｂサーバ２４から、該当するＷｅｂページのＨＴＭＬファイルなどを、通信部２２，インターネット２６を介して取得すると（ステップＳ２０）、Ｗｅｂブラウザ５４により表示部３４にＷｅｂページが表示される（ステップＳ２２）。図３（Ｂ）には、このようなＷｅｂページの一例が示されている。図示の例では、商品１０の販売元２０が企画するキャンペーンへの応募用のＷｅｂページ６０が表示されており、保有者３０は、端末３２の入力キー３６やメニューボタン３８などを利用した入力操作により、表示部３４に表示された項目に記入してキャンペーンに応募する。
【００２８】
上述したＷｅｂページの閲覧中，あるいは、閲覧終了後、前記解析プログラム５２Ｂによる解析結果に、自動登録指示情報１７が含まれると判断された場合（ステップＳ２３でＹｅｓ）には、登録プログラム５２Ｅが実行され、前記ＷｅｂページのＵＲＬ１６Ａを、データ格納部４６のブックマークデータ領域などに自動的に登録し（ステップＳ２４）終了する。また、ＵＲＬ１６Ａ以外にもメールアドレス１６Ｂや電話番号１６Ｃが解析結果に含まれる場合には、これらのデータもアドレス帳データ４９Ａなどとして自動登録する。
【００２９】
一方、自動登録指示情報１７が含まれないと判断された場合（ステップＳ２３のＮｏ）には、ＵＲＬ１６Ａ及び他の情報，例えば、販売元２０の連絡先情報（メールアドレス１６Ｂ，電話番号１６Ｃなど）や宣伝情報などの内容が表示プログラム５２Ｃにより表示部３４に表示される（ステップＳ２６）。そして、これら情報を登録する必要がある場合（ステップＳ２８のＹｅｓ）には、メニューボタン３８の操作により登録プログラム５２Ｅを起動し、所定の操作によって、該ＷｅｂページのＵＲＬ１６Ａを、データ格納部４６のブックマークデータ領域などに登録して（ステップＳ２４）終了し、登録の必要がない場合には（ステップＳ２８のＮｏ）にはそのまま終了する。また、前記解析結果にＵＲＬ１６Ａが含まれないと判断された場合（ステップＳ１６のＮｏ）には、ステップＳ２３に進んで自動登録指示情報１７を含むか否か判断してからステップＳ２４ないしステップＳ２６へ進み、必要に応じて情報登録を行い終了する。
【００３０】
なお、上述した動作では、接続プログラム５２Ｄは、２次元バーコード１４の解析結果にＵＲＬ１６Ａさえ含まれていれば（ステップＳ１６でＹｅｓ）、自動的に該当するＷｅｂページへアクセスすることとしたが、解析結果にＵＲＬ１６Ａと自動接続指示情報１８がともに含まれている場合（ステップＳ１７のＹｅｓ）にのみ、該当するＷｅｂページへアクセスするようにしてもよい。この場合、ＵＲＬ１６Ａのみが含まれており、自動接続指示情報１８が含まれていない場合（ステップＳ１７でＮｏ）には、上述したステップＳ１６でＮｏを選択した場合と同様に、ステップＳ２３へ進み、自動登録指示情報１７の有無や登録の必要性に応じて解析結果に含まれる情報をデータ格納部４６に記憶し、所望の時に通常のインターネット接続機能を利用してＵＲＬ１６Ａに対応するＷｅｂページへアクセスするようにしてもよい。
【００３１】
このように、実施例１によれば、次のような効果がある。
(1)端末３２に搭載されたカメラ機能を利用して、ラベル１２に印刷された２次元バーコード１４を読み込み、読み込んだ画像データの解析結果に特定のＷｅｂページのＵＲＬ１６Ａが含まれる場合には、自動的に前記Ｗｅｂページを公開するＷｅｂサーバ２４へアクセスし、前記Ｗｅｂページのデータを取得することとしたので、キー入力の手間をかける必要なく、簡単に特定のＷｅｂページへアクセスすることができる。また、ＵＲＬ１６Ａと自動接続指示情報１８がともに含まれる場合にのみ自動接続を行うようにすることも可能である。
(2)２次元バーコード１４を利用することとしたので、より多くの情報を提供することができるとともに、印刷スペースを削減することができるため、包装紙やパッケージなどのデザインを損なうことがない。
(3)解析した情報を、必要に応じて登録プログラム５２Ｅによりデータ格納部４８へ登録することとしたので、再度Ｗｅｂページへのアクセスが可能であるばかりでなく、メールアドレス１６Ｂや電話番号１６Ｃなどの他の情報も登録できるため、２次元バーコード１４に含まれる情報を有効に活用することができる。また、解析結果に自動登録指示情報１７が含まれる場合には、自動的に情報が端末３２に登録されるため、登録に関する入力作業を省略ないし軽減できる。
【実施例２】
【００３２】
次に、図４及び図５を参照しながら、本発明の実施例２を説明する。本実施例のシステム構成については、前記図１に示す実施例１と同様である。前記実施例では、２次元バーコード１４にＵＲＬ１６Ａが含まれるとき，あるいは、ＵＲＬ１６Ａと自動接続指示情報１８がともに含まれるときに、販売元２０のＷｅｂサーバ２４へ自動的にアクセスし、該Ｗｅｂサーバ２４がインターネット２６上で公開するＷｅｂページを表示部３４に表示することとしたが、本実施例では、２次元バーコード１４の解析結果にＵＲＬ１６Ａが含まれる場合であっても、端末３２の保有者３０に、前記Ｗｅｂページへのアクセスを行うか否かを問う選択画面を表示する例である。図４は、本実施例の主要動作を示すフローチャート，図５は、本実施例の端末表示部の画面例である。
【００３３】
図４に示すように、本実施例の動作は、商品１０に添付された２次元バーコード１４の撮影（ステップＳ１０）から、該２次元バーコード１４の解析（ステップＳ１４）までは上述した実施例１と同様である。本実施例では、解析プログラム５２Ｂによる解析結果が、ＵＲＬ１６Ａを含むか含まないかに関わらず、表示プログラム５２Ｃにより解析結果の内容が表示部３４に表示される（ステップＳ３０）。図５（Ａ）には、このような内容表示画面の一例が示されている。図示の例では、表示部３４には、販売元２０の電話番号６２，ＵＲＬ６４，メールアドレス６６が示されており（ステップＳ１６のＹｅｓ）、更に、表示部３４の下方には、「戻る」，「決定」，「登録」などのメニュー６８Ａ〜６８Ｃが表示されている。なお、前記電話番号６２，ＵＲＬ６４，メールアドレス６６は、それぞれ２次元バーコード１４に含まれる電話番号１６Ｃ，ＵＲＬ１６Ａ，メールアドレス１６Ｂと同じ内容である。
【００３４】
端末３２の保有者３０がメニューボタン３８などの操作により、ＵＲＬ６４を反転させ、「決定」のメニュー６８Ｂを選択して確定すると、図５（Ｂ）に示すように接続を行うか否かを選択する画面が表示される。ここで、接続確認表示７０に対して、「Ｙｅｓ」のメニュー７２Ａを反転させて選択すると（ステップＳ３２のＹｅｓ）、接続プログラム５２Ｄが実行され、ＵＲＬ６４に対応するＷｅｂページへのアクセスが行われる。なお、Ｗｅｂサーバ２４へのアクセス（ステップＳ１８）後の動作（ステップＳ２０〜ステップＳ２８）については、前記実施例１と同様である。また、表示された解析結果にアドレス情報が含まれない場合（ステップＳ１６でＮｏ）や、前記図５（Ｂ）で「Ｎｏ」のメニュー７２Ｂを選択してアクセスしなかった場合（ステップＳ３２のＮｏ）には、ステップＳ２３へ進み自動登録指示情報１７の有無や登録の必要性に応じて表示内容の登録を行い終了する。
【００３５】
このように、実施例２によれば、２次元バーコード１４にＵＲＬ１６Ａが含まれている場合に、アクセスするか否かを選択する画面を表示することとしたので、ＵＲＬ１６Ａをキー入力することなく、端末３２の保有者３０の都合に合わせて特定のＷｅｂページへのアクセスを行うことができる。また、２次元バーコード１４の読み取り・解析直後にアクセスしなかった場合でも、上述実施例１と同様に、解析結果をデータ格納部４６に登録可能としたので、読み取った情報を有効に活用することができる。
【実施例３】
【００３６】
次に、図６及び図７を参照しながら、本発明の実施例３を説明する。本実施例のシステム構成については、前記実施例１と同様であるが、本実施例では、２次元バーコード１４に固有データ取得指示情報１９が含まれており、端末３２側には、プログラム格納部５０に固有データ抽出プログラム５２Ｆが設けられている。固有データ取得指示情報１９は、前記端末３２に割り当てられた端末固有データ４８を、前記端末３２のデータ格納部４６から抽出するよう促すものである。また、固有データ抽出プログラム５２Ｆは、前記２次元バーコード１４が携帯端末３２で読み取られた際に、解析プログラム５２Ｂによる解析結果に前記固有データ取得指示情報１９が含まれている場合には、データ格納部４６からメールアドレス４８Ａや電話番号４８Ｂを含む端末固有データ４８を抽出するものである。抽出された端末固有データ４８は、一時保存領域４６Ａに記憶される。
【００３７】
次に、本実施例の動作を説明する。図６に示すように、本実施例の動作は、商品１０に添付された２次元バーコード１４の撮影（ステップＳ１０）から、該２次元バーコード１４の解析（ステップＳ１４）までは上述した実施例と同様である。本実施例では、解析プログラム５２Ｂによる解析結果に、固有データ取得指示情報１９が含まれる場合（ステップＳ４０でＹｅｓ）には、固有データ抽出プログラム５２Ｆが実行され、データ格納部４６の端末固有データ４８から、必要な情報が抽出される（ステップＳ４２）。本実施例では、抽出されるデータは、メールアドレス４８Ａ及び電話番号４８Ｂであるが、これら一方のみであってもよいし、他の情報を含んでいてもよい。
【００３８】
更に、前記解析プログラム５２Ｂによる解析結果に特定のＷｅｂページのＵＲＬ１６Ａが含まれていると判断した場合（ステップＳ４４でＹｅｓ）、接続プログラム５２Ｄは、前記ＵＲＬ１６Ａに基づいて、Ｗｅｂサーバ２４にアクセスするとともに、抽出した端末固有データ４８を転送する（ステップＳ４６）。そして、該Ｗｅｂサーバ２４に、ユーザ登録ページのＨＴＭＬファイルなどの転送要求を行う。閲覧要求を受けたＷｅｂサーバ２４から、端末固有データ４８を反映したＷｅｂページのＨＴＭＬファイルなどを、通信部２２，インターネット２６，通信部５８を介して取得すると（ステップＳ４８）、Ｗｅｂブラウザ５４により表示部３４にＷｅｂページが表示される（ステップＳ２２）。図７（Ａ）には、このようなＷｅｂページの一例が示されている。図示の例では、商品１０のユーザ登録を行うためのＷｅｂページ７４となっており、該Ｗｅｂページ７４には、所定の項目に対する入力欄７６が設けられるとともに、前記ステップＳ４６で転送された端末固有データ４８に含まれる情報が表示されている。すなわち、端末３２のメールアドレス４８Ａと電話番号４８Ｂが、登録画面に予め表示されている。所有者３０は、ここで残りの必要な項目のみ入力キー３６などで入力し、登録を完了させる。
【００３９】
前記図７（Ａ）に示す例は、メールアドレス４８Ａ及び電話番号４８Ｂ以外の項目にも記入しないとユーザ登録が完了しない場合であるが、例えば、これらメールアドレス４８Ａ及び電話番号４８Ｂのみ，あるいは、メールアドレス４８Ａのみでユーザ登録が可能な場合には、前記ステップＳ４６で端末固有データ４８を取得したＷｅｂサーバ２４側ではユーザ登録を完了させるとともに、メールサーバ２５からユーザ登録完了を知らせる電子メールを端末３２に送信するようにしてもよい。端末３２の電子メールアドレス宛にメールが送信されると、端末３２は、該電子メールをメーラー５６により受信し（ステップＳ５０）、表示部３４にメールの内容が表示される（ステップＳ５２）。図７（Ｂ）には、このようなユーザ登録完了通知メール画面８０の一例が示されている。もちろん、販売元２０側から送信されるメールの内容は、任意に変更可能である。また、前記ステップＳ５０において、販売元２０のメールアドレスのみが記載された電子メールを受信し、表示されたメール中に含まれる電子メール宛に端末３２側から電子メールを送信することにより、ユーザ登録を完了させるようにしてもよい。この場合、販売元２０と端末３２間で電子メールアドレスの交換と確認さえできればよく、端末３２側から送信するメール本文は空白であってもよい。また、販売元２０側から送信される電子メールには、メールアドレスのみが記載されていてもよいし、保有者３０がユーザ登録の実行を認証するための内容が記載されていてもよい。
【００４０】
以上のようなＷｅｂページの表示（ステップＳ２２）又は受信メールの表示（ステップＳ５２）以降の動作（ステップＳ２３〜ステップＳ２８）については、前記実施例１と同様である。また、２次元バーコード１４の解析結果に、固有データ取得指示情報１９が含まれておりＵＲＬ１６Ａが含まれていない場合（ステップＳ４４でＮｏ）には、直接ステップＳ２３へ進み、自動登録指示情報１７の有無や登録の必要性に応じて情報の登録作業を行い終了する。また、解析結果に固有データ取得指示情報１９が含まれていない場合（ステップＳ４０でＮｏ）には、上述した実施例１と同様に、解析結果にＵＲＬ１６Ａを含むか否か判断した上で、ステップＳ２２へ進んでＷｅｂページを表示するか、ステップＳ２３へ進んで自動登録指示情報１７の有無や登録の必要性に応じて情報の登録作業を行って終了する。
【００４１】
このように、実施例３によれば、２次元バーコード１４の解析結果に、Ｗｅｂサーバ２４のＵＲＬ１６Ａとともに端末固有データ４８の取得指示を促す固有データ取得指示情報１９が含まれるときに、固有データ抽出プログラム５２Ｆによってデータ格納部４６に保存されている端末固有データ４８（メールアドレス４８Ａや電話番号４８Ｂなど）を抽出する。そして、前記Ｗｅｂサーバ２４へアクセスするとともに、抽出した端末固有データ４８を転送することとしたので、閲覧するＷｅｂページ７４に該端末固有データ４８が反映され、端末３２側による項目への入力作業を省略ないし軽減することができる。また、前記端末固有データ４８に端末３２のメールアドレス４８Ａが含まれる場合には、メールサーバ２５から自動的にメールを送信することも可能である。
【００４２】
なお、本発明は、上述した実施例に限定されるものではなく、本発明の要旨を逸脱しない範囲内において種々変更を加え得ることができる。例えば、以下のものも含まれる。
(1)前記実施例で示したシステム構成は一例であり、同様の効果を奏するように適宜変更してよい。例えば、前記実施例では、Ｗｅｂサーバ２４とメールサーバ２５を別々に設けたが、Ｗｅｂサーバ機能とメールサーバ機能を含む一つのサーバシステムとしてもよい。また、メールサーバ機能により、端末３２側が２次元バーコード１４に含まれるメールアドレス１６Ｂを利用して販売元２０へメールを送信した場合には、商品の詳細情報やお薦め情報などを記載したメールを、端末３２側へ自動返信するようにしてもよい。また、前記実施例では、端末３２として通話機能を有する携帯電話やＰＨＳを用いることとしたが、２次元バーコード１４の読み取り機能とインターネット２６への接続機能を有するものであれば、ＰＤＡやノートＰＣなどの端末でも適用可能である。また、前記実施例では、表示部３４で２次元バーコード１４を捉え、シャッターボタン４２を押して撮影することにより画像データを得ることとしたが、表示部３４に捉えるだけで自動的に２次元バーコード１４を認識して読み込むようにしてもよいし、他のボタンをシャッターボタン４２の代わりに利用できるようにしてもよい。
【００４３】
(2)前記実施例で示した動作や表示画面は一例であり、必要に応じて適宜変更してよい。例えば、前記実施例２では、図５（Ａ）及び（Ｂ）に示すように、解析結果の内容と接続の選択の画面を別に設けることとしたが、解析結果の内容とともに接続の有無を選択する表示画面を生成するようにしてもよい。また、前記動作で示した２次元バーコード１４の処理方法は一例であり、２次元バーコード１４の種類により読み取りの方法や順序は適宜変更してよい。また、前記実施例３では、Ｗｅｂサーバ２４へアクセスしてからメールサーバ２５によるメールの送信が行われることとしたが、端末３２から直接メールサーバ２５へアクセスするようにしてもよい。更に、２次元バーコード１４に含まれる電話番号１６Ｃに端末３２から電話をかけることにより、販売元２０側で自動的に端末３２の保有者３０のユーザ登録などを行うようにしてもよい。
【００４４】
(3)前記実施例で示した商品１０も一例であり、これ以外にも、広告や新聞，名刺，カタログなど各種の印刷媒体に２次元バーコートを印刷しておき、資料請求，アンケート，キャンペーン応募，ユーザ登録，おすすめ情報の紹介，レストランや各種団体あるいは個人の運営するＨＰ（ホームページ）の紹介などに利用するようにしてもよい。
【００４５】
(4)２次元バーコード１４を設ける位置も任意であり、例えば、商品１０のパッケージの外側に添付するようにしてもよいし、商品１０の購入者を対象とする特典付きのページへのアドレス情報を含む場合には、購入者しか撮影することができないようにパッケージの内側に２次元バーコード１４を設けるようにするとよい。また、商品１０の代金と引き換えに、２次元バーコード１４付きのラベル１２を添付するようにしてもよい。広くアンケートなどを実施したい場合には、新聞やチラシなど多数の人の目につくような場所に２次元バーコード１４を設けるようにすればよい。更に、前記実施例では、商品１０のパッケージなどの印刷媒体に設けられた２次元バーコード１４を撮影することとしたが、テレビの画面やパソコンのディスプレイに表示された２次元バーコードを撮影するようにしても同様の効果を得ることができる。
【産業上の利用可能性】
【００４６】
本発明によれば、携帯通信端末に搭載されたカメラ機能を利用して、２次元バーコードを読み込み、その画像データの解析結果にネットワーク上の固有のアドレス情報が含まれる場合には、該アドレス情報に基づいてネットワーク上の機器にアクセスし、ホームページデータなどを取得することとしたので、キー入力の手間をかけずに特定のＷｅｂページへアクセスしようとする場合に好適である。また、携帯通信端末に割り当てられたメールアドレスや電話番号などの固有データを前記機器に転送することとしたので、画面上でこれら固有データを入力する必要がなく、個人情報などを登録する作業に好適である。更に、２次元バーコードに含まれる各種情報を有効活用する場合にも好適である。
【図面の簡単な説明】
【００４７】
【図１】本発明のシステム構成の一例を示すブロック図である。
【図２】本発明の実施例１の主要動作を示すフローチャートである。
【図３】前記実施例１の携帯端末の表示部の画面例である。
【図４】本発明の実施例２の主要動作を示すフローチャートである。
【図５】前記実施例２の携帯端末の表示部の画面例である。
【図６】本発明の実施例３の主要動作を示すフローチャートである。
【図７】前記実施例３の携帯端末の表示部の画面例である。
【符号の説明】
【００４８】
１０：商品
１２：ラベル
１４：２次元バーコード
１６Ａ：ＵＲＬ
１６Ｂ：メールアドレス
１６Ｃ：電話番号
１７：自動登録指示情報
１８：自動接続指示情報
１９：固有データ取得指示情報
２０：販売元
２２：通信部
２４：Ｗｅｂサーバ
２５：メールサーバ
２６：インターネット
３０：保有者
３２：携帯端末
３４：表示部
３６：入力キー
３８：メニューボタン
４０：カメラレンズ
４２：シャッターボタン
４４：ＣＰＵ
４６：データ格納部
４６Ａ：一時保存領域
４６Ｂ：登録データ領域
４８：端末固有データ
４８Ａ：メールアドレス
４８Ｂ：電話番号
４９Ａ：アドレス帳データ
４９Ｂ：メモ帳データ
４９Ｃ：メールデータ
４９Ｄ：画像データ
５０：プログラム格納部
５２Ａ：読込プログラム
５２Ｂ：解析プログラム
５２Ｃ：表示プログラム
５２Ｄ：接続プログラム
５２Ｅ：登録プログラム
５２Ｆ：固有データ抽出プログラム
５４：Ｗｅｂブラウザ
５６：メーラー
５８：通信部
６０：Ｗｅｂページ
６２：電話番号
６４：ＵＲＬ
６６：メールアドレス
６８Ａ〜６８Ｃ：メニュー
７０：接続確認表示
７２Ａ，７２Ｂ：メニュー
７４：Ｗｅｂページ
７６：入力欄
８０：メール画面
【図１】
2005057501.tif 000003
【図２】
2005057501.tif 000004
【図３】
2005057501.tif 000005
【図４】
2005057501.tif 000006
【図５】
2005057501.tif 000007
【図６】
2005057501.tif 000008
【図７】
2005057501.tif 000009